(57)【特許請求の範囲】
【請求項１】
用紙載置面を有した装置本体と、この装置本体に設けられ前記用紙載置面に載置された用紙に加工を施す処理機構と、前記装置本体に収納位置から使用位置までの間でスライド可能に設けられ前記使用位置において前記用紙載置面に載置される用紙の位置決めを行うゲージとを具備した用紙処理装置であって、
前記装置本体に、前記ゲージのスライド動作中に前記ゲージを昇降させるゲージ昇降機構を設けているものであり、
前記ゲージが、前記装置本体にスライド可能に支持されたゲージ本体と、このゲージ本体の外方端部に設けられ前記用紙の縁を係止するストッパとを備えたものであり、
前記ゲージ本体が、内方端から外方端に向かって漸次上下厚み寸法が減少する形状をなしており、内方端部の下面のみを前記装置本体の底面に常時摺接させている用紙処理装置。
【請求項２】
用紙載置面を有した装置本体と、この装置本体に設けられ前記用紙載置面に載置された用紙に加工を施す処理機構と、前記装置本体に収納位置から使用位置までの間でスライド可能に設けられ前記使用位置において前記用紙載置面に載置される用紙の位置決めを行うゲージとを具備した用紙処理装置であって、
前記装置本体に、前記ゲージのスライド動作中に前記ゲージを昇降させるゲージ昇降機構を設けているものであり、
前記ゲージ昇降機構が、前記装置本体と前記ゲージ本体との間に設けられたスライドカム機構により前記ゲージ本体を昇降させるようにしたものであり、
前記スライドカム機構が、前記ゲージ本体の側面に突設された下レールと、この下レールよりも内方端側に位置させて前記ゲージ本体の側面に突設された上レールと、前記装置本体の内側面に突設され前記下レールの内方端に係わり合って前記ゲージ本体を降下方向に案内する下案内面及び前記上レールの外方端に係わり合って前記ゲージ本体を上昇方向に案内する上案内面を有した案内突条とを備えている用紙処理装置。
【請求項３】
前記ゲージが、前記装置本体にスライド可能に支持されたゲージ本体と、このゲージ本体の外方端部に設けられ前記用紙の縁を係止するストッパとを一体に形成したものである請求項１又は２記載の用紙処理装置。
【請求項４】
前記処理機構が、用紙に孔を形成するためのものである請求項１、２又は３記載の用紙処理装置。
【発明の詳細な説明】
【技術分野】
【０００１】
本発明は、用紙に孔を形成する等の処理を施すための用紙処理装置に関する。
【背景技術】
【０００２】
従来から、用紙に綴じ用の孔を形成するためのパンチ（例えば、特許文献１参照）や、複数枚の用紙を綴じることができる綴じ機（例えば、特許文献２参照）といった用紙処理装置が知られている。
【０００３】
ところで上記の用紙処理装置のうち、一例としてパンチについて着目すると、従来のものは用紙を位置決めするために、用紙受け面を有したパンチ本体に対して突没可能に支持されたゲージを備えたものがある。かかるゲージには、先端側に用紙の端縁を当接させるストッパが立設されており、当該ゲージ全体をパンチ本体に対して突没進退させることにより、立設されたストッパの位置を調整し用紙の位置決めに供するようにしている。特に上記特許文献１記載のものは、使用の際にのみストッパをゲージから起立し得るよう、ストッパがゲージに対し動作可能に構成されている。
【０００４】
ところが、このようなものでは、ゲージがパンチ本体に対して突没するようにすべく、ストッパはパンチ本体に対し起立していない状態で収容される。すなわちパンチ本体にストッパが収容される姿勢のままでは用紙を位置決め出来ない。そのため、使用者は使用する都度必ず所定の位置にストッパの位置を合わせる必要があった。つまりこれまでのものは、使用の際に例外なく、ゲージを所期の位置にセットするための操作に加え、ストッパの位置を用紙の端縁に当接し得る位置に調整するという、最小限でも複数の動作を必要とされる。その結果、ゲージの使用自体が使用者に煩雑であるという印象を与えてしまっていた。更に、ゲージを使用しない場合であっても、ストッパが起立した状態であれば、当該ストッパが用紙に干渉してしまい作業性を損ねる場合もあった。換言すれば、これまでのゲージでは、ゲージを動作させる動作に加え、ゲージを使用可能な状態とするための格別な動作を要するものとなっていた。そして斯かる格別な動作が、使用者にゲージの取り扱いが煩雑であるという印象を与えてしまうおそれを有していた。
【０００５】
そしてこのようなゲージは勿論、パンチに適用している場合のみならず、例えば綴じ機やステープラといったものに適用しても同様の不具合が発生する。すなわちこれまでのゲージであれば用紙処理装置に適用すると、例外なく上記したような不具合を招来し得るものとなっていた。
【先行技術文献】
【特許文献】
【０００６】
【特許文献１】特開２０１１−２２４６９１号公報
【特許文献２】特開２０１０−１３７５５１号公報
【発明の概要】
【発明が解決しようとする課題】
【０００７】
本発明は、このような不具合に着目したものであり、少なくともゲージを所期の位置に確実にセットするための操作が行い易い用紙処理装置を提供することを目的としている。
【課題を解決するための手段】
【０００８】
本発明は、このような目的を達成するために、次のような手段を講じたものである。
【０００９】
すなわち本発明に係る用紙処理装置は、用紙載置面を有した装置本体と、この装置本体に設けられ前記用紙載置面に載置された用紙に加工を施す処理機構と、前記装置本体に収納位置から使用位置までの間でスライド可能に設けられ前記使用位置において前記用紙載置面に載置される用紙の位置決めを行うゲージとを具備した用紙処理装置であって、前記装置本体に、前記ゲージのスライド動作中に前記ゲージを昇降させるゲージ昇降機構を設けていることを前提とする。
【００１０】
ここで、「ゲージを昇降」とは、ゲージ全体が昇降動作を行うもののみに限られない。すなわち、スライド動作を利用するものであれば、ゲージ全体の昇降動作であっても、ゲージの特定の一部のみの昇降動作を行うであってもよい。ここで、ゲージの特定の一部のみの昇降動作の例としては、ゲージと一体又は別体に設けられたストッパが回転しながらストッパの上端位置が変化しながら昇降するような態様が挙げられる。加えて、例えばゲージの一部であるストッパが折り畳まれた状態から起立、及び、起立した状態から倒伏するという往復動作を伴うスライド動作によりゲージ自体の一部であるストッパの上端が昇降するような動作をも含まれる概念である。また勿論、上述したゲージの一部の回転、起立／倒伏動作はゲージ全体の昇降とともに行ってもよいのはいうまでもない。加えて本発明に係るゲージ昇降機構とは、ゲージがストッパを有さないものに対し、使用位置では用紙に作用し易い位置まで昇降するような態様も含まれる概念である。
【００１１】
このようなものであれば、ゲージ昇降機構により、ゲージをスライド動作させれば自ずと昇降させることで使用者にとって所要の使用位置とすることができる。その結果、使用者はゲージの使用に際しスライド動作のみを行えば良い。すなわち本発明によれば、少なくともゲージを所期の位置に確実にセットするための操作が行い易い用紙処理装置を提供することができる。
【００１２】
使用位置において用紙への処理を行い易いゲージ昇降機構の具体的な構成として、前記ゲージが、前記装置本体にスライド可能に支持されたゲージ本体と、このゲージ本体の外方端部に設けられ前記用紙の縁を係止するストッパとを備えたものであり、前記ゲージ昇降機構が、前記収納位置において前記ストッパの上端が前記用紙載置面よりも下又は略面一に位置するとともに前記使用位置において前記ストッパの上端が前記用紙載置面よりも上に位置するように前記ゲージを昇降させるものとなっている。このようなものであれば、収納位置ではストッパの上端を用紙載置面に面一か、用紙載置面よりも下に位置付けて、ゲージを用紙に干渉しない好適な位置、姿勢で装置本体内に収納させることができる。
【００１３】
前記ゲージのスライド動作を安定させるための有効な構成として、前記装置本体が、前記用紙載置面を有したベースと、このベースの下面側に装着される受底とを備えたものであり、前記受底に、前記ゲージ本体を下側から支持する底面と、前記ゲージ本体を側面から案内する案内側面とを具備するゲージ保持部を設けている。
【００１４】
また、ゲージの正確なスライド動作とゲージ昇降機構による昇降動作とを簡素な構成によって両立させるためには、前記ゲージ本体を、内方端から外方端に向かって漸次上下厚み寸法が減少する形状をなしたものとし、内方端部の下面のみを前記ゲージ保持部の底面に常時摺接させる構成とすることが望ましい。斯かる構成によれば、具体的にはゲージの外方端のみを昇降させれば確実なゲージ昇降機構の動作が実現される。
【００１５】
前記ゲージ昇降機構が、前記装置本体と前記ゲージ本体との間に設けられたスライドカム機構により前記ゲージ本体を昇降させるようにしているので、ゲージによる正確な用紙の位置決めと確実な昇降とを両立することができる。
【００１６】
そして、ゲージの安定した動作を実現するための具体的な構成としては、前記スライドカム機構が、前記ゲージ本体の側面に突設された下レールと、この下レールよりも内方端側に位置させて前記ゲージ本体の側面に突設された上レールと、前記ゲージ保持部の内側面に突設され前記下レールの内方端に係わり合って前記ゲージ本体を降下方向に案内する下案内面及び前記上レールの外方端前記に係わり合って前記ゲージ本体を上昇方向に案内する上案内面を有した案内突条とを備えている構成を挙げることができる。
【００１７】
加えて、ゲージのさらなる構成の簡素化を実現するためには、前記ゲージを、ゲージ本体とストッパとを一体に形成したものとすることが好ましい。
【００１８】
そして本発明は、前記処理機構が、用紙に孔を形成するためのものに好適に適用することが可能である。
【発明の効果】
【００１９】
本発明によれば、少なくともゲージを所期の位置に確実にセットするための操作が行い易い用紙処理装置を提供することができる。
【図面の簡単な説明】
【００２０】
【図１】本発明の一実施形態を示す外観図（ゲージが収納位置にある状態）。
【図２】同実施形態における他の外観図（ゲージが使用位置にある状態）。
【図３】同実施形態における平面図。
【図４】同実施形態における分解斜視図。
【図５】図３に係るＩ−Ｉ線断面図。
【図６】図５に係る動作説明図（ゲージが収納位置にある状態）。
【図７】図３のＩＩ−ＩＩ線断面に係る動作説明図（ゲージが収納位置にある状態）。
【図８】図７における要部を拡大した図。
【図９】同実施形態における動作説明図。
【図１０】同上。
【図１１】同上。
【図１２】同上。
【図１３】同上。
【図１４】同実施形態の変形例に係る模式的な説明図。
【発明を実施するための形態】
【００２１】
以下、本発明の一実施形態を、図１〜図１３を参照して説明する。
【００２２】
この実施形態は、本発明に係る用紙処理装置を、手動操作により図示しない用紙に綴じ用の孔を形成するための二穴固定式事務用孔あけ器であるパンチＡに適用したものである。
【００２３】
パンチＡは、用紙受け面１１を有しその用紙受け面１１の奥端に用紙の前後方向の位置決めを行うための係止壁１２を備えたパンチ本体１と、パンチ本体１の用紙受け面１１にセットされた用紙に抜き刃２１（図５〜図７）を貫通させて該用紙に孔をあける穿孔機構２と、パンチ本体１に支持され用紙の左右方向の位置決めを行うためのゲージＧとを具備してなる。すなわち本実施形態に係るパンチＡは、用紙載置面Ｍを有した装置本体たるパンチ本体１と、このパンチ本体１に設けられ用紙載置面Ｍに載置された用紙に穿孔という加工を施す処理機構たる穿孔機構２と、パンチ本体１に収納された収納位置（ｓ）から使用位置であるガイド位置（ｇ）までの間でスライド可能に設けられガイド位置（ｇ）において用紙載置面Ｍに載置される用紙の位置決めを行うゲージＧとを具備した用紙処理装置である。
【００２４】
以下、パンチＡについて詳述する。
【００２５】
パンチ本体１は、上側に略平面状をなす、用紙載置面Ｍである用紙受け面１１を有し下側が開放されたベースＢと、ベースＢの下開口部ｍを開閉可能に閉塞する受底Ｕとを備えている。
【００２６】
ベースＢは、金属製のもので、平面視において略縦長矩形状をなしている。ベースＢは、上面を用紙受け面１１とした天壁ｂ１と、天壁ｂ１の周縁部から下方に向かって延出する前後壁、及び、左右の側壁とを備えている。ベースＢは、前後壁、及び、左右の側壁によって下方に開口する下開口部ｍを構成する。
【００２７】
天壁ｂ１は、前側の部位に、穿孔されるべき用紙の下面側を支持するための用紙受け面１１を備えている。天壁ｂ１は、用紙受け面１１に対応する部位の２箇所に穿孔操作時に抜き刃２１が通過する抜き孔１３を有している。天壁ｂ１は、用紙受け面１１の奥端である後端部に、用紙の端縁を当接させて奥行き方向への移動を禁止するための壁である係止壁１２を備えている。天壁ｂ１には、中央部分に、左右の抜き孔１３ピッチの中心を示す目印１６を露出させるための目印露出窓１４が設けられている。
【００２８】
穿孔機構２は、作動ハンドル２２と、作動ハンドル２２が上下に回転操作されることによって上下進退する抜き刃２１を主体に構成されたものである。すなわち、穿孔機構２は、パンチ本体１の用紙受け面１１にセットされた用紙に作動ハンドル２２の作動により抜き刃２１を貫通させて、用紙に孔をあけるものである。この実施形態では、穿孔機構２は、抜き刃２１の先端側を用紙に孔をあけるべく抜き孔１３内に位置させる操作位置と作動バネである図示しないスプリングの弾性反発力により抜き刃２１を抜き孔１３外に位置させる待機位置との間で回動可能な作動ハンドル２２を備えている。抜き刃２１と作動ハンドル２２とは、中間部材２４を介して相互に接続している。すなわちこの穿孔機構２が、用紙に加工を施す本発明に係る処理機構に該当する。なお、穿孔機構２は、既知の構成であるため、詳細な説明を省略する。
【００２９】
ここで、本実施形態に係るパンチＡは、ゲージＧが、パンチ本体１にスライド可能に支持されたゲージ本体３と、このゲージ本体３の外方端部に設けられ用紙の縁を係止するストッパ４とを備えたものであり、ゲージＧのスライド動作を利用してゲージＧを昇降させるゲージ昇降機構Ｘを設けていることを特徴とする。具体的には、パンチ本体１に、収納位置（ｓ）においてストッパ４の上端４ａが用紙載置面Ｍ以下に位置するとともにガイド位置（ｇ）においてストッパ４の上端４ａが用紙載置面Ｍよりも上に位置するようにゲージＧのスライド動作を利用してゲージＧを昇降させるゲージ昇降機構Ｘを設けている。
【００３０】
以下、受底Ｕにおける特にゲージ保持部５の構成及びゲージＧの構成について説明する。
【００３１】
受底Ｕは、パンチ本体１に対してベースＢの下面側に着脱可能に取り付けられるもので、樹脂により形成されている。受底Ｕは、その一側にゲージＧを支持するためのゲージ保持部５を有している。受底Ｕは、ベースＢの下開口部ｍを閉塞する蓋機能を具備する受底本体ｕ１と、受底本体ｕ１の右側縁から平面視において外方に突出するように配されたゲージ保持部５とを備えている。
【００３２】
受底本体ｕ１は、平面視において略矩形状をなすものであり、下面が家具の天板等の載置面Ｍに添設し得るようになっている。受底本体ｕ１は、底壁ｓ１と、底壁ｓ１の周縁部から上方に向かって延出する前後壁ｓ２、ｓ３、及び、左右の側壁ｓ４、ｓ５とを備え、これらによって囲まれた空間に用紙を穿孔する際に形成される抜けかすを収容するとともにゲージ保持部５を配置している。受底本体ｕ１の後角部分は、底壁ｓ１に設けられたヒンジ部１５を介して部分的に開閉可能になっており、抜けかすを廃棄する際の利便性を向上させている。左右の側壁ｓ４、ｓ５の上面部分には、用紙を受けるための用紙受け面１７と、係止壁１２とともに用紙の端部を位置決めするための係止壁１８とを有している。すなわち本実施形態では用紙受け面１１及びこの受底本体ｕ１に設けた用紙受け面１１とともに、用紙載置面Ｍを構成している。左の側壁ｓ４における用紙受け面１７、係止壁１８近傍には、収納位置（ｓ）にあるゲージＧのストッパ４を収容するためのストッパ収容部１９が設けられている。
【００３３】
ゲージ保持部５は、受底本体ｕ１よりも前側に位置している。このゲージ保持部５はゲージ本体３を下側から支持する底面５１と、ゲージ本体３を側面から案内する案内側面５２とを具備する。底面５１は、ゲージ本体３に係り合うことでゲージ３を位置決めする複数の凹部５６と、これら複数の凹部５６間に形成された平面でありゲージ本体３を摺接させる摺接面５７とを有している。案内側面５２は、外方端近傍に、前後両側から突出させて形成した案内突条５３を有している。この案内突条５３は正面視において、内方端から外方端へ向けて上方へ湾曲しながら傾斜した形状をなす。本実施形態ではこの案内突条５３の上面をゲージ本体３に係り合うときにゲージ本体３を上昇方向に案内する上案内面５４としている。そしてこの案内突条５３の下面をゲージ本体３に係り合うときにゲージ本体３を下降方向に案内する下案内面５５としている。これら上案内面５４及び下案内面５５とゲージ本体３との具体的な係り合いに関しては後に詳述する。
【００３４】
ゲージＧは、用紙に形成される孔の位置を定めるために、用紙のパンチ本体１に対する位置決めを行うものである。ゲージＧは、用紙の位置決めを行い得る位置、すなわち、パンチ本体１から外側方に突出するガイド位置（ｇ）からパンチ本体１に沿うように配される収納位置（ｓ）までの間でスライド動作し得るゲージ本体３と、ゲージ本体３に対して移動可能に設けられガイド位置（ｇ）において用紙の端部を案内するストッパ４とを備えている。そしてゲージＧは、ゲージ本体３とストッパ４とを一体に形成した樹脂製のものである。
【００３５】
ゲージ本体３は、細長いブロック状のものであり、上面を構成する用紙支持面３１は、ガイド位置（ｇ）において、パンチ本体１の用紙受け面１１のやや下方に位置付けられるように設定されている。また、ゲージ本体３の用紙支持面３１は、ガイド位置（ｇ）においてはパンチ本体１との相対位置に拘わらず、常に用紙受け面１１に対し一定の高さ位置となるように設定されている。なお用紙支持面３１には、用紙サイズに合わせたガイド用の目盛りを表示するようにしてもよい。またゲージ本体３は、側面側において外方端の縁部の一部に突設された下レール３３と、この下レール３３よりも内方端側の左右方向略全域に位置させてゲージ本体の側面上端に突設された上レール３２とを有している。そして本実施形態ではゲージ本体３は、内方端から外方端に向かって漸次上下厚み寸法が減少する形状をなすように下側全域に亘ってテーパ面３４を形成している。加えて内方端部の下面のみをやや突出させて摺接凸部３６を形成し、この摺接凸部３６をゲージ保持部５の底面５１に常時接するようにしている。具体的に説明すると、この摺接凸部３６近傍に前後２つの切欠３５を設けこれら切欠３５間の領域を弾性変形部３７とすることで、摺接凸部３６はゲージ保持部５の底面５１に常時弾性反発力を蓄積した状態で摺接する。
【００３６】
ストッパ４は、用紙の端部に当接可能に立設された内面である当接面４１と、収納位置（ｓ）において受底本体ｕ１の右側の側壁に略面一となるように形成された外面４２とを有している。このストッパ４は、収納位置（ｓ）では受底本体ｕ１のストッパ収容部１９に収容されるとともに上端４ａが用紙受け面１７以下となるように位置付けられる。
【００３７】
パンチＡは、ゲージ本体３とパンチ本体１との間に、ゲージ本体３を節度停止（クリックストップ）させるための節度機構を設けている。具体的にはこの節度機構は、収納位置（ｓ）及びガイド位置（ｇ）における複数の位置、具体的には所定の用紙サイズに対応した複数の位置においてゲージ本体３をパンチ本体１に対し節度停止（クリックストップ）させるものである。具体的に説明すると、ゲージ保持部５の底面５１には、収納位置（ｓ）及びガイド位置（ｇ）における、一般的に用いられるＡ４、Ｂ５等の、所定の規格に準拠した各用紙サイズをストッパ４がそれぞれ位置決めし得る位置でゲージ本体３の摺接凸部３６が凹部５６に係り合い得るように、当該凹部５６の位置を設定している。そして上述した通り、摺接凸部３６は底面５１に対し常に弾性反発力を蓄積しながら接しているため、ゲージ本体３をスライドさせる際には摺接凸部３６は摺接面５７を弾性付勢しているか凹部５６に対し弾性係合している。これにより、ゲージＧの正確な位置決めを容易に実現し得る節度機構が実現されている。
【００３８】
しかして本実施形態では、図８〜図１３に示すように、収納位置（ｓ）においてストッパ４の上端４ａが用紙載置面Ｍ以下に位置するとともにガイド位置（ｇ）においてストッパ４の上端４ａが用紙載置面Ｍよりも上に位置するようにゲージＧのスライド動作を利用してゲージＧを昇降させるゲージ昇降機構Ｘを設けている。
【００３９】
図８では、ゲージＧが収納位置（ｓ）にある状態を示している。この状態では、案内突条５３はゲージ本体３の上レール３２、下レール３３の両方に接した状態となっている。特にゲージ本体３では下レール３３は下案内面５５の内、下端に形成された挟持平面５５ｂと底面５１との間に挟み込まれ、収納位置（ｓ）に位置決めされた状態にある。併せて上レール３２は上案内面５４に設けられた湾曲面５４ａに僅かに接した状態となっている。図８に示す状態からゲージＧをゲージ保持部５から引き出す動作を開始すると、図９に示すように下レール３３と案内突条５３とが離間するとともに、上レール３２は上案内面５４の内、湾曲面５４ａに摺接しながら上昇を開始する。そして図１０に示した状態では、ストッパ４の上端４ａは用紙受け面１７すなわち用紙載置面Ｍよりも完全に上昇し、図１１に示す、用紙を位置決めし得るガイド位置（ｇ）では、上レール３２は上案内面５４の内、上端に形成された支持平面上に載ることで、ゲージ本体３が上昇した状態が好適に維持される。
【００４０】
そして、ゲージＧをガイド位置（ｇ）から収納位置（ｓ）とすべく例えばストッパ４を押し込む等によりゲージ本体３を内方端へ向けてスライド動作させると、図１２に示すように上レール３２と上案内面５４とが離間するとともに下レール３３と下案内面５５が接触する。そして更なるスライド動作によって、下レール３３は図１３に示すように下案内面５５のうち湾曲面５５ａに摺接しながらゲージ本体３が下降してゆき、再び図８に示す収納位置（ｓ）となる。このように、ゲージ昇降機構Ｘが、上レール３２、下レール３３及び案内突条５３がスライドカム機構を構成することによって、ゲージ本体３を昇降させる。換言すればゲージ昇降機構Ｘとは、パンチ本体とゲージ本体３との間に設けられたスライドカム機構によりゲージ本体３を昇降させるようにしたものである。
【００４１】
以上のような構成とすることにより、本実施形態に係る用紙処理装置たるパンチＡは、ゲージＧのスライド動作を利用してゲージＧを昇降させるにより、ゲージＧをスライド動作させれば自ずと使用位置たるガイド位置（ｇ）から収納位置（ｓ）までの往復動作が実現される。その結果、使用者はゲージＧの使用に際しスライド動作のみを行えば良い。すなわち本発明によれば、少なくともゲージＧを所期の位置に確実にセットするための操作が行い易いパンチＡの提供に寄与している。
【００４２】
また本実施形態では、ゲージ昇降機構Ｘにより、ストッパ４の上端４ａを用紙載置面Ｍよりも上から用紙載置面Ｍ以下、具体的には略面一な上下位置まで昇降させているので、収納位置（ｓ）でのゲージＧの用紙への干渉を有効に回避せしめている。
【００４３】
ゲージＧのスライド動作を安定させるための有効な構成として本実施形態では、受底Ｕに、ゲージ本体３を下側から支持する底面５１と、ゲージ本体３を側面から案内する案内側面５２とを具備するゲージ保持部５を設けている構成を適用している。
【００４４】
また、ゲージＧの正確なスライド動作とゲージ昇降機構Ｘによる昇降動作とを簡素な構成によって両立させるために本実施形態では、ゲージ本体３を、内方端から外方端に向かって漸次上下厚み寸法が減少するテーパ面３４を設けつつ、内方端部の下面のみを摺接凸部３６によりゲージ保持部５の底面５１に常時摺接させている。これにより、ゲージＧの外方端のみを昇降させるという簡素な構成であってもゲージ昇降機構Ｘの確実な動作を実現している。
【００４５】
そして本実施形態では、ゲージ昇降機構Ｘが、パンチ本体１とゲージ本体３との間に設けられたスライドカム機構によりゲージ本体３を昇降させるようにしており、これにより、ゲージＧによる正確な用紙の位置決めと確実な昇降とを両立せしめている。
【００４６】
そして、ゲージＧの安定した動作を実現するための有効な構成として本実施形態では、スライドカム機構が、ゲージ本体３の側面に突設された下レール３３と、この下レール３３よりも内方端側に位置させてゲージ本体３の側面に突設された上レール３２と、ゲージ保持部５の内側面に突設され前記下レール３３の内方端に係わり合って前記ゲージ本体３を降下方向に案内する下案内面５５及び上レール３２の外方端に係わり合ってゲージ本体３を上昇方向に案内する上案内面５４を有した案内突条５３とを備えたものとしている。
【００４７】
加えて、ゲージＧのさらなる構成の簡素化を実現するために本実施形態では、ゲージＧを、ゲージ本体３とストッパ４とを一体に形成している。
【００４８】
そして本実施形態では、処理機構として穿孔機構２を有したパンチＡに適用することによって、パンチＡの用紙への正確な穿孔を実現させている。
【００４９】
＜変形例＞
以下、本実施形態に係る変形例について図１４に示して説明する。当該変形例において上記実施形態に係る構成要素に相当するものに対しては同じ符号を付すとともに、その詳細な説明を省略するものとする。
【００５０】
上記実施形態ではゲージ昇降機構Ｘによるゲージ本体３の上昇及び下降の両方をスライドカム機構によって実現したが、本発明のゲージ昇降機構Ｘは斯かる構成に限られない。すなわち、本変形例に示すように、付勢手段Ｘ１によってゲージＧの上昇又は下降を案内するものとしても良い。
【００５１】
同図に示すゲージ昇降機構Ｘでは、例えばパンチ本体の内方端側に案内突条５３を設けるとともに、この案内突条５３よりも外方端側にゲージ本体３を下方から上方へ付勢する付勢手段を構成している。具体的に説明すると、同図上側に示すように収納位置（ｓ）では上下二つ形成された案内突条５３の挟持平面５５ｂ間にゲージ本体３のレールを挟持させることによってストッパ４の上端４ａを図示しない用紙載置面Ｍ以下に位置付けている。そしてゲージ本体３をスライド動作させることにより案内突条５３とレールとの係り合いを解除すると、付勢手段Ｘ１によりゲージ本体３が上方へ付勢され、ガイド位置（ｇ）が実現される。
【００５２】
このようなものであっても、上記実施形態同様、ゲージＧを所期の位置に確実にセットするための操作が行い易い用紙処理装置たるパンチＡの提供が実現される。
【００５３】
以上、本発明の実施形態について説明したが、各部の具体的な構成は、上述した実施形態のみに限定されるものではなく、本発明の趣旨を逸脱しない範囲で種々変形が可能である。
【００５４】
例えば、上記実施形態ではゲージ昇降機構がゲージの上下動のみを促している態様を開示したが、勿論、スライド動作によってゲージの回転や前後動を併せて行うことにより、ストッパの状態を用紙載置面よりも上に位置付け得るようにしたものであってもよい。また上記実施形態では用紙処理装置の一例としてパンチを開示したが勿論、本発明は綴じ機やステープラを始めとした用紙処理装置に広く適用可能である。またゲージ本体やストッパの具体的な態様はストッパの有無をも含め、上記実施形態のものに限定されることはなく、既存のものを含め、種々の態様のものを適用することができる。
【００５５】
その他、各部の具体的構成についても上記実施形態に限られるものではなく、本発明の趣旨を逸脱しない範囲で種々変形が可能である。
【産業上の利用可能性】
【００５６】
本発明は用紙に孔を形成する等の処理を施すための用紙処理装置として利用することができる。
【符号の説明】
【００５７】
Ａ…用紙処理装置（パンチ）
１…装置本体（パンチ本体）
２…処理機構（穿孔機構）
Ｇ…ゲージ
３…ゲージ本体
４…ストッパ
Ｂ…ベース
Ｕ…受底
Ｘ…ゲージ昇降機構
【図１】
0006520005.tif 000002
【図２】
0006520005.tif 000003
【図３】
0006520005.tif 000004
【図４】
0006520005.tif 000005
【図５】
0006520005.tif 000006
【図６】
0006520005.tif 000007
【図７】
0006520005.tif 000008
【図８】
0006520005.tif 000009
【図９】
0006520005.tif 000010
【図１０】
0006520005.tif 000011
【図１１】
0006520005.tif 000012
【図１２】
0006520005.tif 000013
【図１３】
0006520005.tif 000014
【図１４】
0006520005.tif 000015